(57)【要約】      （修正有）【課題】ソフトチューブの圧迫装置の提供。【解決手段】使用時には該蓋体２の捲り蓋２４を開け、該出口２２と該ソフトチューブの出口端３１を露出させる。次に該蛇腹チューブ体１の底部１２を押すと、該蛇腹チューブ体１内のソフトチューブ３は、該底部の圧追力量を受け、該ソフトチューブ３内の充填物４は該ソフトチューブ３の出口端３１より、該蓋体２の出口２２を通して流出する。圧追する蛇腹チューブ体１の長さが手のひらの長さより短い時には、親指により該蛇腹チューブ体１の底部を押さえ、他の指は該蓋体２の連接部２１の翼部２１１を挟持、押さえ、圧力を加える。こうして該ソフトチューブ３内の充填物４は、ほぼ完全に搾り出される。【選択図】図４
0003120338.tif 000002
【実用新案登録請求の範囲】
【請求項１】
主に蛇腹チューブ体と蓋体を含み、
該蛇腹チューブ体の管壁は連続折畳み状で、複数の弾力性を具えた折畳み環状体により相互に連結し伸縮折畳み状を形成し、該蛇腹チューブ体の底部は封鎖面で、頂点部は開口で、
該蓋体には連接部を設置し、該連接部は該蛇腹チューブ体頂点部の開口に対応、組合せ、該連接部は内部の直径がより小さい出口を連結し、該出口の傍らには捲り蓋を設置し、該捲り蓋は該出口に対応し、嵌設、蓋合し、
実施時には、ソフトチューブの出口端を該蓋体の連接部の出口に嵌設し、該ソフトチューブの管体を該蛇腹チューブ体中に入れ、該蓋体連接部は該蛇腹チューブ体の開口に対応し連接することを特徴とするソフトチューブの圧迫装置。
【請求項２】
前記蛇腹チューブ体の頂点開口にはネジ刻みを環状に設置し、
該蓋体の連接部内部は中空で、ネジ刻みを設置し、該ネジ刻みは該蛇腹チューブ体開口のネジ刻みに対応することを特徴とする請求項１記載のソフトチューブの圧迫装置。
【請求項３】
前記蛇腹チューブ体は円柱形の管体であることを特徴とする請求項１記載のソフトチューブの圧迫装置。
【請求項４】
前記蛇腹チューブ体は矩形の管体であることを特徴とする請求項１記載のソフトチューブの圧迫装置。
【請求項５】
前記蛇腹チューブ体の折畳み環状体の直径は開口より底部に向かい徐々に広くなることを特徴とする請求項１記載のソフトチューブの圧迫装置。
【請求項６】
前記蓋体の連接部の出口の周囲には環状突起を設置し、該環状突起の傍らには捲り蓋を連結、設置し、該捲り蓋は繰返し開閉可能で、該捲り蓋は該出口周囲の環状突起に対応し嵌設し、蓋合することを特徴とする請求項１記載のソフトチューブの圧迫装置。
【請求項７】
前記蓋体の連接部は延伸し翼部を設置し、該延伸し設置する翼部は手指により挟持し施力することを特徴とする請求項１記載のソフトチューブの圧迫装置。
【請求項８】
前記蛇腹チューブ体の管壁は連続湾曲環状体により構成することを特徴とする請求項１記載のソフトチューブの圧迫装置。
【考案の詳細な説明】
【技術分野】
【０００１】
本考案は一種のソフトチューブの圧迫装置に関する。特に一種の蛇腹チューブ体を利用し内部の充填物を圧迫し流動物質を押し出すことができるソフトチューブの圧迫装置に係る。
【背景技術】
【０００２】
歯磨きペースト、塗り薬などの流動物質、クリーム状物質を充填するソフトチューブは包装が容易で、輸送が便利であるため、個人の携帯に適している。しかも、該ソフトチューブを圧迫する使用の方式は省力で便利であるため、ソフトチューブ包装の製品は各種消費製品に広く見られる。しかも、各種応用材料の研究、改良が進むに連れて、該ソフトチューブもますます多様化している。
【０００３】
現在のソフトチューブは多くの長所があるが、ソフトチューブの使用には以下のような欠点が存在する、
（ａ）ソフトチューブは撓み性と弾性回復力を具えるが、ソフトチューブを圧迫しチューブ内の充填物を取り出した後は、ソフトチューブのチューブ体は弾性により回復し、ソフトチューブ内部に空気を吸入してしまう。これでは次に使用する時には空押し現象が起こり、使用量の制御が難しくなってしまう。
（ｂ）ソフトチューブ内局部の空気は圧迫使用時に、充填物が管口から噴出し溢れ出し易く、浪費を招く。
（ｃ）ソフトチューブのチューブ体から圧迫し取り出した充填物は、外観からはソフトチューブ内の充填物の残余量が判断できないため、使用者に予めスペアを購入する気持ちを起こさせることができない。
（ｄ）外部の別の物によりソフトチューブを圧迫しない限りは、使用者はソフトチューブ内の充填物を完全に使い切ることはできず、資源の無駄である。
【０００４】
市場には数種の公知のソフトチューブを補助する圧迫器が存在するが、その基本構造は以下の通りである、
（ａ）補助圧迫器とソフトチューブの組合せ実施の外観状態は、別個に分離状である。
（ｂ）ソフトチューブを挟持する挟持具で、挟持により、巻き取る方式によりソフトチューブの底部からソフトチューブの出口に向かいソフトチューブのチューブ体を押して行く。
【０００５】
上記公知のソフトチューブの補助圧迫器はソフトチューブ補助圧迫の目的
を達成することができるが、その応用においては以下のような欠点が存在する、
（ａ）補助圧迫器とソフトチューブが組合せ実施される外観は別個に分離状であるため、実用上の機能は具えるが、全体的な美観に乏しい。
（ｂ）公知の補助圧迫器は構成部品は多く、コストが高く、構成部品の作動が複雑である。
（ｃ）本体に蓋を具えるソフトチューブにのみ適用可能で、蓋のない補助ソフトチューブ構造には使用することができない。
【考案の開示】
【考案が解決しようとする課題】
【０００６】
本考案は上記構造の問題点を解決したソフトチューブの圧迫装置を提供するものである。本考案はソフトチューブ全体を蛇腹チューブ体内に収容し、蓋体を共用し全体構造とし、視覚的に美しい全体性を具え、構成部品は少なく、組立て及び使用共に簡易である。
【０００７】
上記課題を解決するため、本考案は下記のソフトチューブの圧迫装置を提供する。それは主に蛇腹チューブ体と蓋体を含み、該蛇腹チューブ体の管壁は連続折畳み状で、複数の弾力性を具えた折畳み環状体により相互に連結し伸縮折畳み状を形成し、該蛇腹チューブ体の底部は封鎖面で、頂点部は開口で、該蓋体には連接部を設置し、該連接部は該蛇腹チューブ体頂点部の開口に対応、組合せ、該連接部は内部の直径がより小さい出口を連結し、該出口の傍らには捲り蓋を設置し、該捲り蓋内部は該蓋体の出口に対応し、ソフトチューブ全体を該蛇腹チューブ体中に入れ、該蓋体の連接部は該蛇腹チューブ体の開口に対応し接合する。
【０００８】
また該蛇腹チューブ体は蓋体を結合し構成し、使用時には、ソフトチューブを該蛇腹チューブ体内部に入れ、該ソフトチューブ出口端は該蓋体の出口に対応し組合され、該ソフトチューブと該蛇腹チューブ体は同一の蓋体を使用し、実施時には該蛇腹チューブ体の底面を押すだけで、ソフトチューブを押し、ソフトチューブ内の充填物を流出させることができ、操作は容易で、ソフトチューブ内の充填物を完全に押し出すことができ、しかもソフトチューブは完全に蛇腹チューブ体内部に収容されるため、ソフトチューブが外の力により直接押されることがなく、携行に便利です。
【０００９】
さらに、ソフトチューブは該蛇腹チューブ体の内部に収容されるため、外観上は一体構造に見えるため、視覚的に美しく、しかも僅かに２個の構成部品により構造であるため、構成が単純で、使用が容易です。
【００１０】
しかも、ソフトチューブ内に充填物が残っており、一時的に使用しないときには、該蓋体の捲り蓋を利用し緊密に蓋合し、空気はソフトチューブと蛇腹チューブ体内部に進入不能とするため、該蛇腹チューブ体と該ソフトチューブは弾力により伸展することはなく、圧迫後の長さを保持し、使用者はソフトチューブ充填物のおよその残余量を知ることができ、しかも同一のソフトチューブを再度圧迫する時には、空押しの現象は発生せず、ソフトチューブ出口端から瞬間的に充填物が噴出し環境を汚し、また資源を浪費してしまうという問題が発生する恐れはないことを特徴とするソフトチューブの圧迫装置である。
【課題を解決するための手段】
【００１１】
請求項１の考案は、主に蛇腹チューブ体と蓋体を含み、
該蛇腹チューブ体の管壁は連続折畳み状で、複数の弾力性を具えた折畳み環状体により相互に連結し伸縮折畳み状を形成し、該蛇腹チューブ体の底部は封鎖面で、頂点部は開口で、
該蓋体には連接部を設置し、該連接部は該蛇腹チューブ体頂点部の開口に対応、組合せ、該連接部は内部の直径がより小さい出口を連結し、該出口の傍らには捲り蓋を設置し、該捲り蓋は該出口に対応し、嵌設、蓋合し、
実施時には、ソフトチューブの出口端を該蓋体の連接部の出口に嵌設し、該ソフトチューブの管体を該蛇腹チューブ体中に入れ、該蓋体連接部は該蛇腹チューブ体の開口に対応し連接することを特徴とするソフトチューブの圧迫装置としている。
請求項２の考案は、前記蛇腹チューブ体の頂点開口にはネジ刻みを環状に設置し、
該蓋体の連接部内部は中空で、ネジ刻みを設置し、該ネジ刻みは該蛇腹チューブ体開口のネジ刻みに対応することを特徴とする請求項１記載のソフトチューブの圧迫装置としている。
請求項３の考案は、前記蛇腹チューブ体は円柱形の管体であることを特徴とする請求項１記載のソフトチューブの圧迫装置としている。
請求項４の考案は、前記蛇腹チューブ体は矩形の管体であることを特徴とする請求項１記載のソフトチューブの圧迫装置としている。
請求項５の考案は、前記蛇腹チューブ体の折畳み環状体の直径は開口より底部に向かい徐々に広くなることを特徴とする請求項１記載のソフトチューブの圧迫装置としている。
請求項６の考案は、前記蓋体の連接部の出口の周囲には環状突起を設置し、該環状突起の傍らには捲り蓋を連結、設置し、該捲り蓋は繰返し開閉可能で、該捲り蓋は該出口周囲の環状突起に対応し嵌設し、蓋合することを特徴とする請求項１記載のソフトチューブの圧迫装置としている。
請求項７の考案は、前記蓋体の連接部は延伸し翼部を設置し、該延伸し設置する翼部は手指により挟持し施力することを特徴とする請求項１記載のソフトチューブの圧迫装置としている。
請求項８の考案は、前記蛇腹チューブ体の管壁は連続湾曲環状体により構成することを特徴とする請求項１記載のソフトチューブの圧迫装置としている。
【考案の効果】
【００１２】
本考案はソフトチューブ全体を蛇腹チューブ体内に収容し、蓋体を共用し全体構造とし、視覚的に美しい全体性を具え、構成部品は少なく、組立て及び使用共に簡易である。
【考案を実施するための最良の形態】
【００１３】
図１、２に示すように、本考案は蛇腹チューブ体１、蓋体２を含む。
該蛇腹チューブ体１のチューブ壁は連続折畳み状で、該連続折畳み状は複数の弾性を具えた折畳み環状体１１により相互に連結し、蛇腹壁面のような伸縮管体を形成する。こうして該蛇腹チューブ体１は縦方向の伸縮機能、圧縮可能な弾力性を具える。
【００１４】
該蛇腹チューブ体１の底部１２は封鎖面で、頂点は開口１３である。該開口１３にはネジ刻み１４を環状に設置する。本実施例においては、該蛇腹チューブ体１は円形の管体で、その折畳み環状体１１の直径は該開口１３より該底部１２に向かい徐々に広がっている。すなわち、該開口１３反の折畳み環状体１１直径は小さく、該底部１２の折畳み環状体１１の直径は大きい。これにより、該折畳み環状体１１の重心は該底部１２にあり、該底部１２により安定的に平面上に直立可能である。
【００１５】
該蓋体２には連接部２１を設置し、該連接部２１内部は中空で、ネジ刻み２１０を設置する。該ネジ刻み２１０は該蛇腹チューブ体１の開口１３のネジ刻み１４に対応し、該連接部２１は内部の直径はより小さい出口２２を連結する。該出口２２の周囲には環状突起２３を設置し、該環状突起２３の横には捲り蓋２４を設置する。該捲り蓋２４は繰返し開け閉め可能で、該捲り蓋２４の開口端の内部は、が出口２２の環状突起２３に対応し嵌設、蓋合する。また該蓋体２の連接部２１は延伸し翼部２１１を設置し、該延設する翼部２１１は指で挟持し施力することができる(図６参照)。
【００１６】
次に図３、４に示すように、本考案の実施に当たっては、ソフトチューブ３の出口端３１の封鎖蓋３１１を、図３に示すカット線Ｃにおいて切除する。これにより、該出口端３１は該蓋体２の連接部２１の出口２２に嵌設され、該ソフトチューブ３の管体は該蛇腹チューブ体１中に挿入される。さらに、該蓋体２の連接部２１内部のネジ刻み２１０を該蛇腹チューブ体１開口１３外側のネジ刻み１４に対応させ、連接する。
【００１７】
本実施例において該蛇腹チューブ体１と該蓋体２は該ソフトチューブ３を繰返し充填し使用が可能で、廃棄物減量の効果を具え、環境保護機能と概念を実現することができる。該ソフトチューブ３は一種の薄層管壁の管体で、内部の充填物４を搾り出し使い終わった後、廃棄、回収する。すなわち一般に言う、補充用、或いは補填用物である。
【００１８】
続いて図５に示すように、使用時には該蓋体２の捲り蓋２４を開け、該出口２２と該ソフトチューブの出口端３１を露出させる。次に該蛇腹チューブ体１の底部１２を押すと、該蛇腹チューブ体１内のソフトチューブ３は該底部の圧迫力量を受け、該ソフトチューブ３内の充填物４は該ソフトチューブ３の出口端３１より、該蓋体２の出口２２を通して流出する。圧迫する蛇腹チューブ体１の長さが手のひらの長さより短い時には、親指により該蛇腹チューブ体１の底部を押さえ、他の指は該蓋体２の連接部２１の翼部２１１を挟持、押さえ、圧力を加える。こうして該ソフトチューブ３内の充填物４はほぼ完全に搾り出される。
【００１９】
該ソフトチューブ３内になお充填物４が残っており、一時的に使用しないときには、該捲り蓋２４を緊密に嵌合し、該出口２２外側の環状突起２３を覆う。この時、該捲り蓋２４は該出口２２を緊密に覆蓋するため、空気は該ソフトチューブ３と該蛇腹チューブ体１内部に進入することはできず、該蛇腹チューブ体１は弾性により伸展しないため、圧迫を加えられた後の長さを保持することができる。再使用時には、該蓋体２の捲り蓋２４を開け、該蛇腹チューブ体１の底部１２を押すだけで、該ソフトチューブ３内の充填物４は該蓋体２の出口２２から引き続き流出する。
【００２０】
さらに図７に示すように、本考案第二実施例の構造は第一実施例と完全に同一であるが、相違点はその外観形状にある。すなわち、蛇腹チューブ体１'は矩形の管体で、複数の弾性折畳み環状体１１'は概ね矩形でかつ相互に連結し形成する。該蛇腹チューブ体１'底部１２'も概ね矩形で、該蓋体２'連接部２１'が延伸し設置する翼部２１１'も矩形状である。第二実施例の機能と実施状況は第一実施例と完全に同一である。
【００２１】
次に図８に示すように、本考案第三実施例の構造は第一実施例と完全に同一であるが、その相違点はその蛇腹チューブ体１"の管壁は連続状の湾曲環状体"により構成される点である。これにより該蛇腹チューブ体１"は縦方向の伸展性質を具え、圧縮の弾力性を具える。第三実施例の機能と実施状況は第一実施例と完全に同一である。
【図面の簡単な説明】
【００２２】
【図１】本考案実施例の分解立体図である。
【図２】本考案実施例の分解断面図である。
【図３】本考案実施例組合せソフトチューブの分解立体指示図である。
【図４】本考案実施例組合せソフトチューブの分解断面指示図である。
【図５】本考案実施例が底部から押される様子を示す断面指示図である。
【図６】本考案実施例が手指により挟持され施力される様子を示す断面指示図である。
【図７】本考案第二実施例の分解立体図である。
【図８】本考案第三実施例の局部断面図である。
【符号の説明】
【００２３】
１  蛇腹チューブ体
１'  蛇腹チューブ体
１"  蛇腹チューブ体
１１  折畳み環状体
１１'   折畳み環状体
１２  底部
１２'  底部
１３  開口
１４  ネジ刻み
２  蓋体
２'  蓋体
２１  連接部
２１'  連接部
２１０  ネジ刻み
２１１  翼部
２１１'  翼部
２２  出口
２３  環状突起
２４  捲り蓋
３  ソフトチューブ
３１  出口端
３１１  封鎖蓋
Ｃ  カット線
４  充填物
【図１】
0003120338.tif 000003
【図２】
0003120338.tif 000004
【図３】
0003120338.tif 000005
【図４】
0003120338.tif 000006
【図５】
0003120338.tif 000007
【図６】
0003120338.tif 000008
【図７】
0003120338.tif 000009
【図８】
0003120338.tif 000010